(57)【特許請求の範囲】
【請求項１】
複数の磁極を有する磁界発生手段を内包し、トナーと磁性キャリアとを含む現像剤を表面上に担持して回転し、潜像担持体と対向する現像領域で上記潜像担持体の表面の潜像にトナーを供給して現像する現像剤担持体と、
上記現像剤担持体に対して対向配置され、上記現像剤担持体の軸線方向に沿って供給搬送部材で現像剤を搬送しながら上記現像剤担持体に現像剤を供給する供給搬送路と、
上記現像剤担持体の上記現像領域から上記供給搬送路から現像剤が供給される供給領域までの間の領域に対向配置され、上記現像剤担持体から上記現像領域通過後の現像剤を回収し、現像剤担持体の軸線方向に沿って、上記現像剤担持体から回収された現像剤を回収搬送部材により搬送する回収搬送路と、
上記供給搬送路の現像剤搬送方向下流端と、上記回収搬送路の現像剤搬送方向上流端とを連通する第１連通部と、
上記供給搬送路の現像剤搬送方向上流端と、上記回収搬送路の現像剤搬送方向下流端とを連通する第２連通部とを備え、
上記供給搬送路と上記回収搬送路との間で現像剤を循環搬送する現像装置において、
上記回収搬送路内の現像剤を、上記回収搬送路内に留まるように磁気吸引して、上記回収搬送路内の現像剤が、現像剤担持体へ再付着するのを抑制する再付着抑制磁石を、上記回収搬送路と上記供給搬送路とを仕切る仕切部材に設けたことを特徴とする現像装置。
【請求項２】
請求項１の現像装置において、
上記供給搬送路から上記現像領域のまでの間に上記現像剤担持体表面と所定の隙間を有して対向し、現像剤担持体に担持された現像剤を規制する現像剤規制部材を有し、
上記磁界発生手段の上記現像剤規制部材に対向する位置における法線方向磁束密度の上記再付着抑制磁石による変化量を、０．５ｍＴ以下となるように上記再付着抑制磁石を配置したことを特徴とする現像装置。
【請求項３】
請求項１または２の現像装置において、
上記磁界発生手段は、上記現像領域を通過した現像剤を上記現像剤担持体の表面から離脱させるための磁界を発生させる互いに隣接した同極性である２つの磁極を備えており、
上記再付着抑制磁石の上記回収搬送路に対向させる磁極を、上記現像剤担持体の表面から離脱させるための磁界を発生させる互いに隣接した同極性である２つの磁極と逆極性にしたことを特徴とする現像装置。
【請求項４】
請求項１乃至３いずれかの現像装置において、
上記再付着抑制磁石を、上記第２連通部の近傍に設けたことを特徴とする現像装置。
【請求項５】
請求項１乃至４いずれかの現像装置において、
上記再付着抑制磁石として、永久磁石を用いたことを特徴とする現像装置。
【請求項６】
請求項１乃至５いずれかの現像装置において、
上記磁界発生手段は、上記現像領域と対向する箇所に配置される主磁極を有しており、
上記再付着抑制磁石の磁束密度を、上記主磁極の磁束密度以下にしたことを特徴とする現像装置。
【請求項７】
潜像担持体の表面に形成された潜像を現像装置により現像剤を用いて現像することで得られるトナー像を、最終的に記録材上へ転写させることにより、記録材上に画像を形成する画像形成装置に対して着脱自在に構成され、少なくとも潜像担持体及び現像装置を一体的に支持したプロセスカートリッジにおいて、
上記現像装置として、請求項１乃至６いずれかの現像装置を用いることを特徴とするプロセスカートリッジ。
【請求項８】
少なくとも潜像担持体と、上記潜像担持体表面を帯電させる帯電手段と、上記潜像担持体上に静電潜像を形成する潜像形成手段と、上記静電潜像を現像する現像装置とを有する画像形成装置において、
上記現像装置として、請求項１乃至６いずれかの現像装置を用いたことを特徴とする画像形成装置。
【請求項９】
請求項８の画像形成装置において、
潜像担持体及び現像装置を一体的に支持し、装置に対して着脱自在に構成されたプロセスカートリッジを備えたことを特徴とする画像形成装置。
【請求項１０】
請求項８または９の画像形成装置において、
上記現像装置または上記プロセスカートリッジを複数備えたことを特徴とする画像形成装置。
【発明の詳細な説明】
【技術分野】
【０００１】
本発明は、現像装置、画像形成装置およびプロセスカートリッジに関するものである。
【背景技術】
【０００２】
従来から、現像剤担持体に現像剤を供給するための供給搬送路と、現像領域でトナーを消費した現像剤担持体表面上の現像済み現像剤を回収する回収搬送路とを備えた供給回収分離方式の現像装置が知られている（例えば、特許文献１）。特許文献１に記載の現像装置は、現像剤担持体に沿って現像剤担持体回転軸方向に延びる供給搬送路の下方に回収搬送路が並列に配置されている。供給搬送路の下流側と回収搬送路の上流側とは開口を介して連通しており、供給搬送路の上流側と回収搬送路の下流側とは開口を介して連通しており、現像剤が循環する。現像領域を通過しトナー濃度が低下した現像済み現像剤は、回収搬送路に回収される。回収搬送路へ回収された現像済み現像剤は、回収搬送路内の回収搬送部材により攪拌されながら、回収搬送路下流の開口へ向けて搬送され、現像剤供給搬送路へ搬送される。
【０００３】
回収搬送路に回収された現像済み現像剤は、回収搬送部材により上記開口へ搬送されるまでの間に回収搬送部材の攪拌力により飛翔し、現像剤担持体に再付着する場合がある。このように、回収搬送路内の現像済み現像剤が再付着すると、この再付着したトナー濃度が低下した現像済み現像剤が現像領域へ運ばれ、この現像済み現像剤により現像された部分の画像の濃度が低下してしまい、画像濃度ムラが生じてしまう。
【０００４】
特許文献１に記載の現像装置においては、回収搬送経路と供給搬送経路とを仕切る仕切り部材を、現像剤担持体に対して、０．２ｍｍ〜１ｍｍの隙間を有して対向させ、仕切り部材により、現像剤担持体へ再付着した現像済み現像剤を掻き落とすことで、現像剤担持体に再付着した現像済み現像剤が、現像領域へ搬送されるのを抑制している。
【発明の概要】
【発明が解決しようとする課題】
【０００５】
しかしながら、仕切り部材を、現像剤担持体に対して０．２ｍｍ〜１ｍｍの隙間を有して対向させる構成では、再付着した現像済み現像剤を十分に掻き落とすことができない。また、仕切り部材を現像剤担持体に接触させれば、再付着した現像剤を良好に掻き落とすことができ、再付着した現像剤が、現像領域へ搬送されるのを防止することができる。しかし、この場合、現像剤担持体表面が仕切り部材と摺擦するため、現像剤担持体表面が傷ついてしまうという課題が生じてしまう。
【０００６】
本発明は以上の課題に鑑みなされたものであり、その目的は、現像剤担持体表面を傷付けることなく、現像剤担持体に再付着した現像済み現像剤が、現像領域へ搬送されるのを抑制することができる現像装置、画像形成装置およびプロセスカートリッジを提供することである。
【課題を解決するための手段】
【０００７】
上記目的を達成するために、請求項１の発明は、複数の磁極を有する磁界発生手段を内包し、トナーと磁性キャリアとを含む現像剤を表面上に担持して回転し、潜像担持体と対向する現像領域で上記潜像担持体の表面の潜像にトナーを供給して現像する現像剤担持体と、上記現像剤担持体に対して対向配置され、上記現像剤担持体の軸線方向に沿って供給搬送部材で現像剤を搬送しながら上記現像剤担持体に現像剤を供給する供給搬送路と、上記現像剤担持体の上記現像領域から上記供給搬送路から現像剤が供給される供給領域までの間の領域に対向配置され、上記現像剤担持体から上記現像領域通過後の現像剤を回収し、現像剤担持体の軸線方向に沿って、上記現像剤担持体から回収された現像剤を回収搬送部材により搬送する回収搬送路と、上記供給搬送路の現像剤搬送方向下流端と、上記回収搬送路の現像剤搬送方向上流端とを連通する第１連通部と、上記供給搬送路の現像剤搬送方向上流端と、上記回収搬送路の現像剤搬送方向下流端とを連通する第２連通部とを備え、上記供給搬送路と上記回収搬送路との間で現像剤を循環搬送する現像装置において、上記回収搬送路内の現像剤を、上記回収搬送路内に留まるように磁気吸引して、上記回収搬送路内の現像剤が、現像剤担持体へ再付着するのを抑制する再付着抑制磁石を、上記回収搬送路と上記供給搬送路とを仕切る仕切部材に設けたことを特徴とするものである。
【発明の効果】
【０００８】
本発明によれば、回収搬送部材の攪拌力により現像剤担持体へ向けて飛翔しようとする現像剤を再付着抑制磁石の磁気吸引力により現像剤回収搬送路に留ませることができる。よって、回収搬送部材の攪拌力により現像剤担持体へ向けて飛翔して、現像剤回収路内の現像剤が、現像剤材担持体に付着するのを抑制することができる。これにより、現像剤回収路へ回収された現像済み現像剤が、回収搬送部材の攪拌力により飛翔して現像剤担持体に再付着するのを抑制することができる。その結果、再付着した現像剤が、現像領域へ搬送されるのを抑制できる。
また、現像剤担持体に回収搬送路と供給搬送路を仕切る仕切り部材を現像剤担持体に接触させて、現像剤担持体に再付着した現像剤が、現像領域へ搬送されないようにしたものに比べて、現像剤担持体表面が傷つくのを抑制することができる。
【図面の簡単な説明】
【０００９】
【図１】本実施形態に係るプリンタの概略構成図。
【図２】作像装置の概略構成図。
【図３】法線磁束密度分布を追記した現像装置及び感光体の説明図。
【図４】現像ローラの回転軸方向に平行な断面の断面説明図。
【図５】現像スリーブ３０２ｃの内部に５つの磁石ＭＧを有し、５つの磁極ＭＰ（磁力分布）が生じるマグネットローラを備えた現像ローラの法線磁束密度分布を追記した現像装置及び感光体の説明図。
【図６】現像装置の主要部の内部斜視図。
【図７】現像装置の主要部の外観斜視図。
【図８】現像装置の連通口部分の説明図。
【図９】循環経路の変形例を示す斜視図。
【図１０】同変形例の循環経路の分解斜視図。
【図１１】同変形例の循環経路を備えた現像装置の奥側の断面図。
【図１２】従来の現像装置の不具合を説明する図。
【図１３】再付着抑制磁石を設けた現像装置の概略構成図。
【図１４】回収室の現像ローラ対向領域における現像剤搬送方向下流側にのみ再付着抑制磁石を設けた現像装置の主要部の外観斜視図。
【図１５】現像剤汲み上げ量と現像剤規制部材対向磁極の磁束密度変動量との関係を示す図。
【図１６】再付着抑制磁石の回収室に対向させる磁極の極性と、マグネットローラの各磁極の極性とを示す図。
【図１７】再付着抑制磁石を回収室と供給室との間に設けた変形例の現像装置の概略構成図。
【図１８】同変形例の現像装置の再付着抑制磁石の回収室に対向させる磁極の極性と、マグネットローラの各磁極の極性とを示す図。
【図１９】同変形例の現像装置の回収室の現像ローラ対向領域における現像剤搬送方向下流側にのみ再付着抑制磁石を設けた現像装置の主要部の外観斜視図。
【図２０】従来の現像装置の概略構成図。
【発明を実施するための形態】
【００１０】
以下、本発明を画像形成装置としてのプリンタ（以下、プリンタ１００という）に適用した実施形態について説明する。
図１は、プリンタ１００の概略構成図である。プリンタ１００は、タンデム方式を採用してフルカラー画像を形成可能なカラー画像形成装置であり、ブラック、マゼンタ、イエロー、シアン（以下、Ｋ，Ｍ，Ｙ，Ｃと記す）の各色トナー像を形成する作像装置１７（Ｋ，Ｍ，Ｙ，Ｃ）を備えている。これらの作像装置１７（Ｋ，Ｍ，Ｙ，Ｃ）の下方には、下流側張架ローラ１８及び上流側張架ローラ１９に掛け回されて転写紙Ｐを表面に担持して搬送し、各作像装置１７（Ｋ，Ｍ，Ｙ，Ｃ）の対向しながら表面移動する転写搬送ベルト１５が配設されている。転写搬送ベルト１５を挟んで各作像装置１７（Ｋ，Ｍ，Ｙ，Ｃ）と対向する転写バイアスローラ５（Ｋ，Ｍ，Ｙ，Ｃ）を備えている。
また、転写搬送ベルト１５による転写紙搬送方向について下流側張架ローラ１８よりも下流側には、転写搬送ベルト１５から分離した転写紙Ｐ上の未定着トナーを定着する定着装置２４を備えている。また、プリンタ１００の本体上部には、定着装置２４を通過しトナー像が定着した転写紙Ｐを積載するための排紙トレイ２５を備えている。
【００１１】
転写搬送ベルト１５の下方には、転写紙Ｐを収容する複数の給紙カセット２０を備えている。また、転写搬送ベルト１５と作像装置１７（Ｋ，Ｍ，Ｙ，Ｃ）とが対向する転写領域に各給紙カセット２０から転写紙Ｐを供給する転写紙供給手段としての給紙搬送装置２６と、給紙カセット２０から搬送されてきた転写紙Ｐを作像装置１７（Ｋ，Ｍ，Ｙ，Ｃ）による作像タイミングに合わせて供給するレジストローラ対２３とを備えている。
【００１２】
なお、図１ではプリンタ１００が図１中の左右方向において小型になるよう、転写搬送ベルト１５が斜め方向に配設され、矢印Ａで示す転写紙Ｐの搬送方向が斜め方向となっている。これにより、プリンタ１００は、図１中の左右方向における筐体の幅が、Ａ３サイズの転写紙長手方向の長さよりも僅かに長い大きさとなっている。すなわち、プリンタ１００は、内部に転写紙を収容するために最低限必要な大きさとされることで大幅に小型化されている。
【００１３】
各作像装置１７（Ｋ，Ｍ，Ｙ，Ｃ）は、潜像担持体としてドラム状の感光体１（Ｋ，Ｍ，Ｙ，Ｃ）を有している。この感光体１（Ｋ，Ｍ，Ｙ，Ｃ）の回転方向に関して順に、それぞれ帯電手段としての帯電装置２（Ｋ，Ｍ，Ｙ，Ｃ）、現像手段としての現像装置３（Ｋ，Ｍ，Ｙ，Ｃ）、クリーニング装置６（Ｋ，Ｍ，Ｙ，Ｃ）、等を有している。上記作像装置１７（Ｋ，Ｍ，Ｙ，Ｃ）は、感光体１と、帯電装置２、現像装置３、クリーニング装置６等を一体的に備えたプロセスカートリッジとして、装置本体から着脱可能に構成されている。また、帯電装置２（Ｋ，Ｍ，Ｙ，Ｃ）と現像装置３（Ｋ，Ｍ，Ｙ，Ｃ）との間で書込光Ｌを潜像形成手段としての露光装置１６（Ｋ，Ｍ，Ｙ，Ｃ）から照射される周知の構成である。感光体１（Ｋ，Ｍ，Ｙ，Ｃ）はドラム状でなく、ベルト状としても良い。
【００１４】
このような構成のプリンタ１００では、画像形成スタートとともに、各作像装置１７（Ｋ，Ｍ，Ｙ，Ｃ）で各色トナー像が形成される。各作像装置１７（Ｋ，Ｍ，Ｙ，Ｃ）では、感光体１（Ｋ，Ｍ，Ｙ，Ｃ）が、図示されないメインモータにより回転駆動され、帯電装置２（Ｋ，Ｍ，Ｙ，Ｃ）によって一様帯電された後、露光装置１６（Ｋ，Ｍ，Ｙ，Ｃ）より、画像を色分解した色毎の画像情報に応じて書込光Ｌが照射され、静電潜像が形成される。感光体１（Ｋ，Ｍ，Ｙ，Ｃ）上に形成された静電潜像は、現像装置３（Ｋ，Ｍ，Ｙ，Ｃ）により現像され、各感光体１（Ｋ，Ｍ，Ｙ，Ｃ）の表面上に各色トナー像が形成される。一方、複数ある給紙カセット２０のうちの１つから給紙搬送された転写紙Ｐは、レジストローラ対２３によって作像装置１７（Ｋ，Ｍ，Ｙ，Ｃ）による作像タイミングに合わせて、転写搬送ベルト１５の表面上に供給される。そして、転写搬送ベルト１５に担持された転写紙Ｐは転写搬送ベルト１５の表面移動によって各色の転写領域に搬送される。
【００１５】
各感光体１（Ｋ，Ｍ，Ｙ，Ｃ）上に形成されたトナー像は、感光体１（Ｋ，Ｍ，Ｙ，Ｃ）と転写搬送ベルト１５との対向部で転写バイアス手段である転写バイアスローラ５（Ｋ，Ｍ，Ｙ，Ｃ）によって転写搬送ベルト１５上に担持された転写紙Ｐに順次転写される。このようにしてＫ（黒）、Ｍ（マゼンタ）、Ｙ（イエロー）、Ｃ（シアン）の順で各感光体１（Ｋ，Ｍ，Ｙ，Ｃ）上に形成されたトナー像が転写され、重ね合わせカラートナー像が転写紙Ｐ上に形成される。トナー像を転写された転写紙Ｐは、転写搬送ベルト１５から分離され、定着装置２４に搬送され、トナー像が定着されて機外の排紙トレイ２５に排出される。
一方、転写紙Ｐ上にトナー像を転写した後の感光体１（Ｋ，Ｍ，Ｙ，Ｃ）は、クリーニング装置６（Ｋ，Ｍ，Ｙ，Ｃ）によって転写残トナーの除去がなされ、必要に応じて図示しない除電ランプで除電された後、再度、帯電装置２（Ｋ，Ｍ，Ｙ，Ｃ）で一様に帯電される動作を繰り返す。
図２に示すプリンタ１００では、転写搬送ベルト１５の搬送方向に沿って搬送方向上流側から、Ｋ（黒）、Ｍ（マゼンタ）、Ｙ（イエロー）、Ｃ（シアン）の順に四つの作像装置１７（Ｋ，Ｍ，Ｙ，Ｃ）が配置されているが、各色の作像装置１７（Ｋ，Ｍ，Ｙ，Ｃ）を配置する順序はこの限りではない。例えば、黒用の作像装置１７Ｋを搬送方向最下流側に配置し、Ｍ（マゼンタ）、Ｙ（イエロー）、Ｃ（シアン）、Ｋ（黒）の順に四つの作像装置１７（Ｍ，Ｙ，Ｃ，Ｋ）を配置してもよい。
【００１６】
次に、作像装置１７について詳しく説明する。本実施形態のプリンタ１００の作像装置１７（Ｋ，Ｍ，Ｙ，Ｃ）は、現像装置３内の画像形成物質として、互いに異なる色（Ｋ，Ｍ，Ｙ，Ｃ）のトナーを用いるが、それ以外は同様の構成になっている。このため、以下、添字Ｋ，Ｍ，Ｙ，Ｃを省略し、作像装置１７として説明する。
【００１７】
図２は、本実施形態のプリンタ１００に適用可能な現像手段たる現像装置３を含む作像装置１７の概略構成図である。
現像装置３は感光体１に対向配置され、感光体１は図２中矢印ａに示すように図２における時計回り方向に回転駆動する。
感光体１の上方、時計の文字盤で表現すれば図２中の感光体１の略１１時の位置に帯電手段たる帯電装置２が配置されている。帯電装置２は本例では感光体１と同じ表面移動速度で回転される回転体からなるが、回転体に限らずコロナ放電タイプでもよい。
【００１８】
この帯電装置２により感光体１の表面は暗中で一様に帯電された後、潜像形成手段である露光装置１６（図１参照）からの書込光Ｌの照射を受けて静電潜像が形成される。この静電潜像は感光体１の回転と共に下流側に移動し現像装置３に至る。現像装置３は感光体１の右横に配置されている。
現像装置３はケーシング３０１内に、現像剤３２０を撹拌搬送する供給室搬送部材３０４及び回収室搬送部材３０５、現像剤担持体たる現像ローラ３０２などの回転部材及びその他の部材を具備している。
現像ローラ３０２は図２中の感光体１の２時と３時との間の位置（２時半の位置）で感光体１に近接して対向させることで現像領域αを構成するようにして近接配置されている。この感光体１との対向部位に相当するケーシング３０１の部位は現像ローラ３０２を露出させるため開口している。
【００１９】
現像ローラ３０２が図３中の矢印ｂ方向に表面移動することにより、ケーシング３０１内の現像剤３２０は現像ローラ３０２の表面上に担持され、図２中の矢印Ｂ方向に搬送され、現像領域αへ搬送されるようになっている。現像領域αで感光体１の表面に形成されている静電潜像に現像剤３２０中のトナーが付着してトナー像として顕像化される。 
このトナー像は感光体１の回転と共に感光体１の表面移動方向下流側に移動し、転写装置の転写バイアスローラ５との対向部である転写領域βに至る。転写バイアスローラ５は、感光体１の下方、図２中の感光体１の６時の位置に配置されている。本実施形態の転写装置は、転写部材として回転体からなる転写バイアスローラ５を備える構成であるが、転写部材としては回転体に限らずコロナ放電タイプでもよい。
【００２０】
感光体１上のトナー像は転写領域βにおいて転写紙Ｐに転写され、転写紙Ｐ上の画像となる。本実施形態のプリンタ１００は、感光体１上に形成したトナー像を転写紙Ｐに直接転写する構成である。感光体１上に形成したトナー像を転写紙Ｐに転写する構成としては、感光体上のトナー像を中間転写体(中間転写ベルトなど)に一旦転写し、中間転写体上で各色トナー像を重ね合わせて多色トナー像を形成し、その後多色トナー像を一括して転写紙に転写する中間転写体方式の画像形成装置にも本発明の現像装置は適用可能である。この場合は、転写領域βで感光体上のトナーを中間転写体(中間転写ベルト)に転写することになる。
【００２１】
転写領域βを通過した感光体１表面は感光体１の回転に伴い、その表面移動方向下流側へ移動してクリーニング装置６との対向部に至る。
クリーニング装置６は図２中の感光体１に対して１０時の位置に配置されている。クリーニング装置６は、転写領域βで転写紙Ｐに転写し切れずに感光体１の表面に残ったトナーを、クリーニングブレード６０１により除去する。クリーニング装置６との対向部を通過した感光体１の表面は、その後、帯電装置２により一様に帯電され、次の画像形成工程を繰り返す。
【００２２】
次に、現像装置３について詳しく説明する。
図２に示すように、現像装置３は、ケーシング３０１の内部に現像ローラ３０２、供給室搬送部材３０４、回収室搬送部材３０５、現像剤規制部材３０３を有し、現像剤３２０を撹拌搬送して循環させている。 本実施形態の現像装置３では、供給室搬送部材３０４及び回収室搬送部材３０５として、回転軸部に螺旋形状のスクリュ羽部を固定したスクリュ部材を用いており、スクリュ羽部の外径が１６［ｍｍ］以下のものを用いている。
【００２３】
図３は、現像ローラ３０２回りに形成される磁界の法線磁束密度分布を追記した現像装置３及び感光体１の説明図である。
図３に示すように、現像ローラ３０２は、円周方向に複数の磁石ＭＧ（ＭＧ１〜ＭＧ３）を配置したマグネットローラ３０２ｄを内部に有し、その周囲を円筒状の現像スリーブ３０２ｃが回転軸３０２ｅと一体的に回転する構成となっている。
現像スリーブ３０２ｃはアルミ等の非磁性の金属で形成されている。マグネットローラ３０２ｄは、各磁石ＭＧが所定の方向を向くように不動部材、例えば、ケーシング３０１に固定されており、その周囲を現像スリーブ３０２ｃが回転して、磁石ＭＧによって引き付けた現像剤３２０を搬送していく。
【００２４】
図４は、現像ローラ３０２の回転軸方向に平行な断面の断面説明図である。
図４に示すように、現像ローラ３０２は、不動部材であるケーシング３０１に固定されている固定軸３０２ａと、この固定軸３０２ａに一体的に形成され、円柱状をした磁界発生手段たるマグネットローラ３０２ｄと、マグネットローラ３０２ｄのまわりをギャップを介して覆っている現像スリーブ３０２ｃと、この現像スリーブ３０２ｃに一体的に構成された回転軸３０２ｅ等からなる。固定軸３０２ａに対して回転軸３０２ｅは軸受３０２ｆを介して回転自在であり、回転軸３０２ｅは図示省略の回転駆動手段から動力を伝達されて回転駆動される。現像ローラ３０２は、現像装置３の小型化のために直径が１４ｍｍ以下のものが好ましい。
マグネットローラ３０２ｄの外周部には、図３に示すように所定の間隔をおいて複数の磁石ＭＧが固定されている。これらの磁石ＭＧの周囲を現像スリーブ３０２ｃが回転する構成となっている。 
【００２５】
マグネットローラ３０２ｄに配置された複数の磁石ＭＧは、現像スリーブ３０２ｃの周表面に現像剤３２０を穂立ちさせ、また穂切りなどさせるように磁界を形成するためのものである。これらの磁石ＭＧから発せられる法線方向磁力線に沿うように、磁性のキャリアが集合して磁気ブラシが形成される。
マグネットローラ３０２ｄとしては種々の構成が適用可能であるが、本実施形態の現像装置３では、図３に示すように、現像スリーブ３０２ｃの内部に３つの磁石ＭＧを有し、３つの磁極ＭＰ（磁力分布）が生じるマグネットローラ３０２ｄを備える。
図３に示すように、現像ローラ３０２の中心である現像ローラ中心線Ｏ―１と感光体１の中心である感光体中心Ｏ−２とを結ぶ仮想直線上で、感光体１と対向する位置に第一磁石ＭＧ１を配置し、現像領域αにおける主磁極ＭＰ１を形成する。さらに、主磁極ＭＰ１に対して図３中の反時計回り方向に、ケーシング対向磁極ＭＰ２を形成する第二磁石ＭＧ２、現像剤規制部材対向磁極ＭＰ３を形成する第三磁石ＭＧ３が配置されている。
【００２６】
本実施形態の現像装置３では、主磁極ＭＰ１をＮ極、ケーシング対向磁極ＭＰ２及び現像剤規制部材対向磁極ＭＰ３をＳ極としているが、各磁極の極性は各磁極がこれと反対の極性であってもよい。主磁極ＭＰ１は、感光体１に対向し、ケーシング対向磁極ＭＰ２はケーシングに対向しており、現像剤規制部材対向磁極ＭＰ３は、現像剤規制部材３０３に対向している。
現像領域αでは、現像ローラ３０２の表面と感光体１の表面とは直接には接触せず、現像に適する一定の間隔である現像ギャップＧＰを保持して対向している。現像装置３は、現像ローラ３０２表面上において、現像剤３２０を穂立ちさせ、現像剤３２０を感光体１に接触させることで、感光体１表面の静電潜像にトナーを付着させて顕像化する。
【００２７】
また、図５に示すように、現像スリーブ３０２ｃの内部に５つの磁石ＭＧを有し、５つの磁極ＭＰ（磁力分布）が生じるマグネットローラ３０２ｄを備えたものでもよい。図５に示すマグネットローラ３０２ｄは、主磁極ＭＰ１とケーシング対向磁極ＭＰ２との間に第４磁石ＭＧ４を配置し、現像済み現像剤搬送磁極ＭＰ４を形成している。また、主磁極ＭＰ１と現像剤規制部材対向磁極ＭＰ３との間に第５磁石を配置し、現像前現像剤搬送磁極ＭＰ５を形成している。図５では、主磁極ＭＰ１をＮ極、現像済み現像剤搬送磁極ＭＰ４をＳ極、ケーシング対向磁極ＭＰ２及び現像剤規制部材対向磁極ＭＰ３をＮ極、現像前現像剤搬送磁極ＭＰ５をＳ極としているが、これらは各極が反対の極性であっても構わない。図５に示すように、現像ローラ３０２上で、各極はその中心が、主磁極ＭＰ１は時計文字盤の８時、現像後現像剤搬送磁極ＭＰ４は同７時、ケーシング対向磁極ＭＰ２は同５時、現像剤規制部材対向磁極ＭＰ３は、同１時、現像前現像剤搬送磁極ＭＰ５は同１０時の各位置に略位置している。 
【００２８】
現像装置３の現像ローラ３０２を構成する固定軸３０２ａには接地された不図示のバイアス用の電源が接続されている。固定軸３０２ａに接続された電源から電圧は、図４中に示す導電性の軸受３０２ｆ及び導電性の回転軸３０２ｅを経て現像スリーブ３０２ｃに印加される。一方、感光体１を構成する最下層の導電性支持体は接地されている。このような構成により、現像領域αには、キャリアから離脱したトナーを感光体１側へ移動させる電界が形成され、現像スリーブ３０２ｃと感光体１の表面に形成された静電潜像との電位差により、トナーを感光体１側に向けて移動させることができる。
【００２９】
本実施形態の現像装置３は、図１及び図２に示すように書込光Ｌで感光体１の表面上に潜像を書き込む方式の画像形成装置と組み合わせたものである。帯電装置２により感光体１の表面上に一様に負極性の電荷を乗せ、負極性の電位を低くするために画像部を書込光Ｌで露光し、電位が低下した画像部（静電潜像）に負極性のトナーで現像する、所謂反転現像方式を採用している。これは一例であり、本発明の特徴部を備えた現像装置を適用する構成としては、感光体１の表面上に乗せる帯電電荷の極性は大きな問題ではない。
【００３０】
現像領域αを通過した現像スリーブ３０２ｃの表面上に担持された現像剤３２０は、ケーシング対向磁極ＭＰ２の磁力によって現像スリーブ３０２ｃ上に担持され、現像スリーブ３０２ｃの回転と共に表面移動方向下流側に搬送され、ケーシング３０１内に引き入れられる。
ケーシング対向磁極ＭＰ２と現像剤規制部材対向磁極ＭＰ３とは同極性としており、図３、図４に示すように、現像スリーブ３０２ｃの表面移動方向について、ケーシング対向磁極ＭＰ２と対向する位置よりも下流側で、且つ、現像剤規制部材対向磁極ＭＰ３と対向する位置よりも上流側となる現像スリーブ３０２ｃの表面上の領域では、現像剤３２０を穂立ちさせる磁界が形成されない。このため、この領域の現像スリーブ３０２ｃの表面上では、現像剤３２０の穂が寝た状態となり、それまで現像スリーブ３０２ｃの表面上に引き寄せていた現像剤３２０を現像ローラ３０２から引き離す「剤離し」の作用が働く。この穂が寝た状態となる現像スリーブ３０２ｃの表面上のケーシング対向磁極ＭＰ２と対向する位置よりも下流側で、且つ、現像剤規制部材対向磁極ＭＰ３と対向する位置よりも上流側となる領域は、図３、図４に示すように、法線磁束密度分布の山形のピークが他領域と比べて極めて低い領域となり、この領域は、現像スリーブ３０２ｃから現像剤３２０を離す、剤離し領域γ（図２中に示す）を形成している。
【００３１】
感光体１にトナーを付着させた現像剤３２０は、現像剤３２０中のトナー濃度が下がっている。このため、仮に、このトナー濃度が低下した現像剤３２０が現像ローラ３０２から離れずに再び現像領域αに搬送され現像に供されると、狙いの画像濃度を得ることが出来ないという不具合が生じてしまう。
これを防止する構成として、本実施形態の現像装置３では、現像領域αを通過した現像スリーブ３０２ｃ表面上に担持された現像剤を剤離し領域γにおいて現像ローラ３０２から離脱させる。現像ローラ３０２から離脱した現像剤は、回収室３０５ａに回収され、その後、狙いのトナー濃度、トナー帯電量になるように、ケーシング３０１内で十分に撹拌混合される。このようにして、狙いのトナー濃度、帯電量にされた現像剤３２０は、供給室３０４ａ内から供給室搬送部材３０４によって現像剤貯留スペースεに供給される。現像剤貯留スペースεに供給された現像剤３２０は、現像剤規制部材対向磁極ＭＰ３の磁力によって現像スリーブ３０２ｃの表面に担持され、現像剤規制部材対向磁極ＭＰ３のピーク位置に位置する現像剤規制部材３０３との対向部を通過することにより、所定の厚さに整えられる。現像剤規制部材３０３との対向部を通過した現像剤３２０は、磁気ブラシを形成しながら現像領域αに搬送される。また、現像剤規制部材対向磁極ＭＰ３は、現像剤３２０を搬送する搬送極の機能を担っている。
【００３２】
図６は、現像装置３の主要部の内部斜視図であり、図７は、現像装置３の主要部の外観斜視図である。また、図８は、現像装置３の長手方向両端部の板状の仕切部材３０６に連通孔を設けた部分を上方から見た説明図である。
図６中の矢印Ｄ１〜Ｄ４がケーシング３０１内の現像剤３２０の流れを示している。
【００３３】
図２及び図３に示すように、供給室搬送部材３０４は現像ローラ３０２のまわりの位置であって、図２及び図３中の現像ローラ３０２の２時の方向に配置されている。この位置は現像剤規制部材３０３との対向部に対して現像ローラ３０２の表面移動方向上流側でもある。図６に示すように、供給室搬送部材３０４は回転軸の回りに螺旋状の羽部を設けたスクリュ形状をしており、現像ローラ３０２の現像ローラ中心線Ｏ―３０２ａと平行な供給スクリュ中心線Ｏ−３０４を中心に、図２及び図３中の矢印ｆで示す時計回り方向に回転する。この回転により、図中の矢印Ｄ４で示すように、供給スクリュ中心線Ｏ−３０４に沿って現像装置３の長手方向の手前側ＦＳから奥側ＢＳに向けて現像剤３２０を撹拌しながら搬送する。つまり、供給室搬送部材３０４は回転軸に回転駆動が入力されることにより現像剤３２０をその軸方向、手前側ＦＳから奥側ＢＳに向けて搬送する。
【００３４】
図２及び図３に示すように、回収室搬送部材３０５は現像ローラ３０２のまわりの位置であって、図２及び図３中の現像ローラ３０２の４時の方向で、剤離し領域γの近傍に配置されている。図６に示すように、回収室搬送部材３０５は回転軸の回りに螺旋状の羽部を設けたスクリュ形状をしており、現像ローラ中心線Ｏ−３０２ａと平行な回収スクリュ中心線Ｏ−３０５を中心に、図２及び図３中の矢印ｇで示す時計回り方向に回転する。この回転により、図中の矢印Ｄ２で示すように、回収スクリュ中心線Ｏ−３０５に沿って現像装置３の長手方向の奥側ＢＳから手前側ＦＳに向けて現像剤３２０を撹拌しながら搬送する。つまり、回収室搬送部材３０５は回転軸に回転駆動が入力されることにより現像剤３２０を供給室搬送部材３０４による搬送方向とは逆向きの奥側ＢＳから手前側ＦＳに向けて搬送する。
【００３５】
回収室搬送部材３０５に対して供給室搬送部材３０４は上方に位置する関係となっており、ケーシング３０１内で供給室搬送部材３０４の周囲の空間である供給室３０４ａと、回収室搬送部材３０５の周囲の空間である回収室３０５ａとは仕切部材３０６を挟んで隣接している。
図６及び図７に示すように、供給室搬送部材３０４及び回収室搬送部材３０５の手前側端部は現像ローラ３０２の手前側端部よりも若干手前側に位置するように設定して、現像ローラ３０２の手前側端部への供給室３０４ａ内からの現像剤３２０の供給を確保している。また、供給室搬送部材３０４及び回収室搬送部材３０５の奥側端部は現像ローラ３０２の奥側端部よりも奥側に位置するように設定している。これにより、後述するトナー補給のためのスペースを確保している。現像剤規制部材３０３の長手方向の長さは、現像ローラ３０２の長さに合わせて設定されている。
【００３６】
図２、図３に示すように、供給室搬送部材３０４と回収室搬送部材３０５との間には、供給室３０４ａと回収室３０５ａとを空間的に仕切る仕切部材３０６がケーシング３０１の内側に支持されている。この仕切部材３０６の長手方向両側端部には、それぞれ連通口（４１及び４２）が設けられている。
回収室搬送部材３０５によって長手方向の奥側ＢＳから手前側ＦＳ（図中矢印Ｄ２方向）に搬送された現像剤３２０は、その搬送方向端部でケーシング３０１の側壁で進路を絶たれるため側壁に沿って盛り上がる。この盛り上がりによって、回収室３０５ａ内の搬送方向下流側端部に到達した現像剤３２０は、上述した仕切部材３０６の長手方向両側端部に設けられた連通口のうちの長手方向手前側端部に設けられた持ち上げ口を通過し（図中矢印Ｄ３）、供給室３０４ａに受け渡される。供給室３０４ａに受け渡された現像剤３２０は、供給室搬送部材３０４によって供給室３０４ａ内を長手方向の手前側ＦＳから奥側ＢＳ（図中矢印Ｄ４方向）に搬送される。
回収室３０５ａの場合と同様に、供給室搬送部材３０４によって長手方向の手前側ＦＳから奥側ＢＳ（図中矢印Ｄ４方向）に搬送された現像剤３２０は、その搬送方向端部でケーシング３０１の側壁で進路を絶たれる。供給室３０４ａ内の搬送方向下流側端部に到達した現像剤３２０は、上述した仕切部材３０６の長手方向両側端部に設けられた連通口のうちの長手方向奥側端部に設けられた落下口より落下し、回収室３０５ａに受け渡される。
【００３７】
このように、現像装置３は、現像ローラ３０２、供給室搬送部材３０４、回収室搬送部材３０５及び仕切部材３０６等を備える構成である。現像ローラ３０２は、現像剤３２０を担持して回転し感光体１に形成された静電潜像を可視像化するものである。供給室搬送部材３０４は、現像ローラ３０２の現像ローラ中心線Ｏ−３０２ａに平行な供給スクリュ中心線Ｏ−３０４を中心に回転し、この供給スクリュ中心線Ｏ−３０４に沿って現像装置３の長手方向に現像剤３２０を撹拌しつつ搬送する。回収室搬送部材３０５は、現像ローラ３０２から現像剤３２０を離す剤離し領域γの近傍に配置され、現像ローラ中心線Ｏ−３０２ａと平行な回収スクリュ中心線Ｏ−３０５を中心に回転し、供給室搬送部材３０４が現像剤３２０を搬送する方向とは反対方向に現像剤３２０を撹拌しつつ搬送する。また、仕切部材３０６は、供給室搬送部材３０４と回収室搬送部材３０５との間であって、供給室３０４ａと回収室３０５ａとの空間を仕切り、長手方向の両端部にそれぞれ連通口を有する。このような構成により、現像装置３は、図中の矢印Ｄ１〜Ｄ４に沿った現像剤３２０の循環経路を形成する。
【００３８】
また、本実施形態の現像装置３内で現像剤３２０を循環させる現像剤撹拌搬送部材（３０４及び３０５）が現像ローラ３０２の横に上下に二本並べて配置される。
従来の現像装置３としては、図２０に示すように２つの現像剤攪拌搬送部材（供給回収スクリュ４０４、循環スクリュ４０５）を現像ローラ３０２から離れる方向（水平方向）に２つ並べて配置する構成のものがある。このように、２つの現像剤攪拌搬送部材を水平方向に並べて配置する構成にくらべて、本実施形態の現像装置３は、装置の横方向（水平方向）の大きさを小さくすることができる。
また、本実施形態の現像装置３は、仕切部材３０６により供給室３０４ａ回収室３０５ａとの空間が仕切られている。このため、現像ローラ３０２に対しては供給室搬送部材３０４により、トナーとキャリアを十分に撹拌混合された現像剤３２０のみが供給され、現像直後のトナー濃度の下がった現像剤３２０は専ら回収室搬送部材３０５により撹拌搬送され、直ぐに現像ローラ３０２に供給されることがない。よって、狙いの帯電量を持ったトナーを含み、狙いのトナー濃度となった現像剤３２０だけが現像ローラ３０２に供給され、現像に用いられることとなるため、高画質を得ることができる。
このように、本実施形態の現像装置３は、水平方向のコンパクト化を図りつつ、高画質を得ることができる。 
【００３９】
図９乃至図１１は、循環経路の変形例を示す図である。この変形例は、図１０に示すように、供給室３０４ａ内の現像剤は、奥側ＢＳから手前側ＦＳに搬送され（矢印Ｄ４’）、回収室３０５ａ内の現像剤は、手前側ＦＳから奥側ＢＳに搬送される（矢印Ｄ２’）ように構成したものである。図１１は、現像装置の奥側ＢＳの断面図である。
【００４０】
図９乃至図１１に示すように、この変形例においては、回収室搬送部材３０５の持ち上げ口３０７と対向する箇所を螺旋状のスクリュ形状ではなく、軸方向に延びる板状の羽が複数設けた羽根車３０８としている。回収室搬送部材３０５の回転に伴って、この羽根車３０８により現像剤３２０を上方に跳ね上げることで、現像剤３２０は、持ち上げ口３０７を通過し（図中矢印Ｄ３）、供給室３０４ａに受け渡される。
【００４１】
図１１に示すように、供給室搬送部材３０４の中心Ｏ−３０４と回収室搬送部材３０５の中心Ｏ−３０５とは略同一鉛直線上にあり、羽根車３０８は反時計回りの向きに回転し、ケーシング３０１の内壁に沿って現像剤３２０を跳ね上げる。持ち上げ口３０７はこの跳ね上げによる現像剤の進路を妨げないように、かつ、せっかく跳ね上げた現像剤が回収室搬送部材３０５へ落下することのないように、中心Ｏ−３０４と中心Ｏ−３０５とを結ぶ略鉛直線よりも僅かにケーシング内壁寄りの位置からケーシング内壁部(３０４回転方向の上流側)に及ぶように形成してある。つまり、図１０に示すように、持ち上げ口３０７は仕切部材３０６の一部に穴を開けた如き状態で形成し、この持ち上げ口３０７に対応する現像ローラ側の部位には、現像ローラ軸方向中央部と同様に仕切部材が存在するように構成する。この残りの仕切部材の部分３０６'により、持ち上げ口３０７を通って下から上に移動した現像剤は再び下方に落下することなく供給室搬送部材３０４により搬送される、または、現像ローラ３０２に引き寄せられ、現像領域へ搬送されていくので、効率の良い現像剤循環を行うことができる。 
【００４２】
次に、現像装置３におけるトナー補給について説明する。
現像装置３内の現像剤３２０は、現像動作を繰り返す内にトナーが消費されていくため、現像装置３の外部から装置内の現像剤３２０に対してトナーを補給する必要がある。本実施形態の現像装置３は、長手方向の奥側ＢＳの端部近傍にトナー補給口３０９（図７参照）を備え、このトナー補給口３０９より外部からのトナーの補給を行う。また、図９乃至図１１に示す循環経路の変形例においては、長手方向の手前側ＦＳの端部近傍にトナー補給口３０９を備えている。すなわち、トナー補給口３０９は、現像ローラ３０２に現像剤を供給する供給室３０４ａ内の搬送方向下流側端部近傍に設けるのである。これにより、トナー補給口３０９より補給されたトナーが直ちに現像に供されることはなく、落下口を通過して回収室３０５ａに供給されることとなる。回収室３０５ａに供給されたトナーは回収室搬送部材３０５で現像剤３２０と混合・撹拌され、所定のトナー濃度となった現像剤３２０に含有された状態で、持ち上げ口から供給室３０４ａへと受け渡され、現像に供される。また、回収室搬送部材３０５を配置した回収室３０５ａは、現像ローラ３０２の表面から離脱した現像剤３２０を回収して搬送するものであり、現像ローラ３０２への現像剤３２０の供給は行わない。このため、トナー補給口３０９から新しくトナーが補給されたことにより十分に撹拌されていない、トナー濃度が不均一な状態の現像剤３２０が現像に供されることを防止できる。
トナー補給口３０９から補給されたトナーは、落下口を通過して回収室３０５ａに供給され、現像ローラ３０２から離脱してトナー濃度の低下して回収室３０５ａに回収された現像剤３２０とともに、回収室搬送部材３０５によって撹拌混合されながら搬送される。新たに補給されたトナー及びトナー濃度が低下した現像剤３２０は、回収室３０５ａ内の搬送方向下流側端部に搬送されるまでの間に、トナー濃度が正常化され、持ち上げ口から供給室３０４ａへと受け渡される。供給室３０４ａでは、現像剤３２０は、供給室搬送部材３０４に搬送されながら現像ローラ３０２に供給され現像に使用される。
【００４３】
また、現像装置３は、回収室３０５ａ内の持ち上げ口の下方に不図示のトナー濃度センサを配置している。本実施形態のトナー濃度センサは、透磁率を測定するセンサであり、現像剤のキャリア濃度(＝１００−トナー濃度)を検出することができる。このトナー濃度センサでの検出結果に基づいて、不図示の制御部がキャリア濃度からトナー濃度センサの検出領域における現像剤３２０のトナー濃度が適正か否かを判断し、補給するトナーの量を決定する。
【００４４】
次に、本実施形態の現像装置３の特徴点について、説明する。
回収室３０５ａ内の現像剤の量が多いとき、または、回収室搬送部材３０５の回転数が早すぎるときは、図１２の矢印Ｋに示すように、回収室３０５ａの現像剤３２０が、現像ローラ３０２に向けて飛翔する現像剤が多くなる。この現像剤が、現像スリーブ３０２ｃの表面に到達すると、マグネットローラ３０２ｄの磁力、もしくは表面の摩擦により現像剤が現像スリーブ３０２ｃ表面に付着し、現像スリーブ３０２ｃによって現像領域へ搬送されてしまう。このような飛翔トナーには、現像領域でトナーが消費され、トナー濃度が回復していない現像済み現像剤が含まれる。このようなトナー濃度が低下した現像済み現像剤が、現像スリーブ表面に付着して現像領域へ搬送されると、その部分の現像能力が低くなり、画像濃度ムラが生じてしまう。
【００４５】
そこで、図１３に示すように、本実施形態においては、回収室３０５ａの現像ローラ３０２と対向する箇所と回収室搬送部材３０５を挟んで反対側の箇所に再付着抑制磁石３４０を設けた。具体的には、回収室３０５ａが形成されたケーシング３０１の外側に再付着抑制磁石３４０が設けられている。再付着抑制磁石３４０を設けることで、回収室３０５ａの現像剤３２０を、再付着抑制磁石３４０の磁気吸引力により回収室３０５ａに留まらせることができ、回収室３０５ａから現像ローラ３０２へ向かって現像剤が飛翔するのを抑制することができる。特に、トナー濃度が低下した現像済み現像剤は、磁性キャリアの密度が大きくなっており、トナー濃度が規定の現像剤に比べて再付着抑制磁石３４０から受ける磁気吸引力が大きい。よって、このようなトナー濃度低下した現像済み現像剤の飛翔を確実に抑制することができる。また、再付着抑制磁石３４０による磁気吸引力により現像剤を回収室３０５ａに滞留させることができ、回収室内での現像剤の分散・トナーの帯電機能を高めることもできる。
【００４６】
再付着抑制磁石３４０を設ける高さ方向については、回収室搬送部材３０５の軸心よりも上方に配置するのが好ましい。回収室搬送部材３０５の軸心よりも上方に再付着抑制磁石３４０を配置することにより、図１３に示すように、再付着抑制磁石３４０の磁気吸引力により、回収室３０５ａ内の現像剤の現像ローラ３０２から離間した側の嵩高さが、現像ローラ側の嵩高さよりも高くなる。これにより、図１３に示すように、回収室内の現像剤と現像ローラ３０２との距離を離すことができ、回収室内の現像剤３２０が現像スリーブ表面に付着するのをより一層抑制することができる。また、回収室３０５ａの現像剤３２０が多少多くても、回収室３０５ａの現像剤３２０が、現像ローラ３０２に接触することがない。よって、回収室搬送部材３０５の回転速度を落として、現像剤を搬送することができ、回収室搬送部材３０５を軸受けする軸受、軸受に現像剤が侵入しないようにシールするシール部材への負荷を低減することができ、装置の寿命を向上させることができる。また、現像装置３の温度上昇を抑制することができ、現像剤へのダメージも抑制することができる。
【００４７】
また、再付着抑制磁石３４０の長手方向については、現像ローラ３０２の長さと同じ長さとし、回収室３０５ａの現像ローラ３０２との対向する領域の全域をカバーする。もちろん、現像ローラ３０２よりも長くして、回収室３０５ａの全域をカバーするようにしてもよいが、コスト高になる。
【００４８】
また、最も回収室３０５ａの現像剤３２０が飛翔しやすいのは、回収室３０５ａの現像剤搬送方向下流側である。これは、供給室３０４ａが回収室３０５ａの上方に位置するので、回収室３０５ａの下流端において現像剤３２０の自重に反して現像剤３２０を持ち上げて移送させる必要がある。そのため、回収室３０５ａの下流端での現像剤搬送速度の落ち込みが大きく、回収室３０５ａの下流端で現像剤３２０が滞留する。その結果、回収室３０５ａの下流端付近においては、上流側に比べて、現像剤３２０の嵩高さが高く、回収室３０５ａの現像剤３２０と現像ローラ３０２との距離が近くなる。その結果、現像剤３２０が飛翔すると、現像ローラ３０２に付着しやすい。一方、回収室３０５ａの現像剤搬送方向上流側は、現像剤３２０の嵩高さが低く現像ローラ３０２との距離が遠いため、飛翔したとしても、現像ローラ３０２に付着しにくい。また、現像剤量も少ないため、飛翔するトナーも少ない。よって、図１４に示すように、回収室３０５ａの現像ローラ３０２と対向する領域Ｇの現像剤搬送方向下流側の箇所にのみ、再付着抑制磁石３４０を設けてもよい。これにより、コストを抑えて、現像ローラ３０２への付着を抑制することができる。
【００４９】
また、再付着抑制磁石３４０としては、永久磁石が好ましい。永久磁石とすることで、簡易な構成で、回収室３０５ａの現像剤３２０を磁気吸引することができ、現像剤３２０の飛翔を抑制することができ、コストを低減することができる。
【００５０】
また、再付着抑制磁石３４０により、現像剤規制部材対向磁極ＭＰ３が影響を受け、磁束密度が変動する。磁束密度が変動すると、現像剤規制部材３０３を通過するときの現像剤の穂立ち量が変動し、像剤汲み上げ量が変動する。なお、ここでいう現像剤汲み上げ量とは、現像剤規制部材３０３を通過した単位面積当りの現像剤量である。
図１５は、汲み上げ量と、再付着抑制磁石３４０による現像剤規制部材対向磁極ＭＰ３の変動量との関係を示す図である。図に示すように、再付着抑制磁石３４０による現像剤規制部材対向磁極ＭＰ３の変動量が、０．５ｍＴ以下ならば、汲み上げ量にほとんど影響ないことがわかる。
【００５１】
よって、再付着抑制磁石３４０は、現像剤規制部材対向磁極ＭＰ３の法線磁束密度の変動量が、０．５ｍＴ以内とする位置に配置する。また、図１６に示すように、再付着抑制磁石３４０の磁極の極性を、現像スリーブ３０２ｃの表面から離脱させるための磁界を発生させる互いに隣接した同極性である２つの磁極（ケーシング対向磁極ＭＰ２と現像剤規制部材対向磁極ＭＰ３）と逆極性にする。これにより、再付着抑制磁石３４０とケーシング対向磁極ＭＰ２との間に現像ローラから現像剤が剥離しやすいような磁界（回収室へ現像剤を吸引するような磁界）を形成することができる。また、再付着抑制磁石３４０と現像剤規制部材対向磁極ＭＰ３との間に反発磁界が形成されないので、現像剤規制部材対向磁極ＭＰ３の法線磁束密度の変動を抑えることできる。
【００５２】
また、本発明者らの実験により、再付着抑制磁石３４０の磁束密度を、主磁極ＭＰ１の磁束密度よりも高くすると、現像スリーブ表面への汲み上げ量が多くなることがわかった。具体的には、主磁極ＭＰ１の磁束密度１００ｍＴに対し、再付着抑制磁石３４０の磁束密度１５０ｍＴで実験を行なうと、現像剤規制部材３０３を通過するとき、現像剤の穂が寝てしまい、汲み上げ量が多くなってしまった。また、再付着抑制磁石３４０の磁束密度が強いため、回収室３０５ａ内の現像剤が再付着抑制磁石３４０から受ける磁気吸引力が大きくなり、回収室搬送部材３０５のトルクが上昇してしまい、温度上昇や駆動負荷が増大してしまうという不具合も発覚した。一方、再付着抑制磁石３４０の磁束密度を、主磁極ＭＰ１の磁束密度よりも小さい１００ｍＴ以下にすると、汲み上げ量の増加が防止された。よって、再付着抑制磁石３４０の磁束密度を、主磁極ＭＰ１の磁束密度以下とすることで、現像領域へ搬送される現像剤量の増加を防止することができ、画像濃度が濃くなるのを抑制することができる。また、１００ｍＴ以下とすることで、再付着抑制磁石３４０として、強い磁力をもつ希土類（ネオジウ）を使用せずともよく、装置を安価にすることができる。
【００５３】
また、先の図１３に示すように、回収室３０５ａの現像ローラ３０２と対向する箇所と回収室搬送部材３０５を挟んで反対側の箇所に再付着抑制磁石３４０を設ける構成の場合は、ケーシング３０１の外側に再付着抑制磁石３４０を設けることになり、現像装置３の水平方向（図中横方向）の長さが長くなってしまう。その結果、図１に示すように、現像装置３を複数個水平方向に並べて配置するタンデム型のカラー画像形成装置においては、装置の水平方向長さが長くなってしまう。
【００５４】
そこで、図１７に示すように、回収室３０５ａと供給室３０４ａとの間に再付着抑制磁石３４０を配置してもよい。また、回収室３０５ａと供給室３０４ａとの間に再付着抑制磁石３４０を配置するため、回収室３０５ａと供給室３０４ａとを仕切る仕切部材３０６は、板状ではなく中空部を有する箱型の形状とし、その中に再付着抑制磁石３４０を配置する。このように構成することで、再付着抑制磁石３４０をケーシング３０１内部に配置することができ、現像装置３の大型化を抑制することができる。回収室３０５ａと供給室３０４ａとの間に再付着抑制磁石３４０を配置しても、再付着抑制磁石３４０の磁気吸引力により、回収室３０５ａ内の現像剤３２０が現像ローラ側へ飛翔するのを抑制することができる。
【００５５】
また、この場合、再付着抑制磁石３４０の磁気吸引力により、回収室３０５ａの現像剤３２０の一部が、回収室３０５ａの上面（仕切り部材３０６）に付着することにより、回収室３０５ａの現像剤３２０の嵩高さを低く抑えることができ、現像ローラ３０２と回収室内の現像剤との距離を離すことができ、回収室内の現像剤３２０が再付着するのを抑制するのをさらに抑制できる。また、回収室内の現像剤３２０の嵩高さを低く抑えることができるので、回収室３０５ａの現像剤３２０が多少多くても、回収室３０５ａの現像剤３２０が、現像ローラ３０２に接触することがない。よって、回収室搬送部材３０５の回転速度を落として、現像剤３２０を搬送することができ、回収室搬送部材３０５を軸受けする軸受、軸受に現像剤が侵入しないようにシールするシール部材への負荷を低減することができ、装置の寿命を向上させることができる。また、現像装置３の温度上昇を抑制することができ、現像剤３２０へのダメージも抑制することができる。また、より現像剤３２０を多く引き付けるためには、回収室搬送部材３０５の軸上方に再付着抑制磁石を設けるのが望ましい。
【００５６】
また、回収室３０５ａと供給室３０４ａとの間に再付着抑制磁石３４０を配置した場合も、図１８に示すように、回収室３０５ａに対向させる再付着抑制磁石３４０の磁極の極性を、上記現像剤担持体の表面から離脱させるための磁界を発生させる互いに隣接した同極性である２つの磁極（ケーシング対向磁極ＭＰ２と現像剤規制部材対向磁極ＭＰ３）と逆極性にするのが好ましい。これにより、再付着抑制磁石３４０と現像剤規制部材対向磁極ＭＰ３との間に現像ローラから現像剤が剥離しやすいような磁界（現像剤を回収室３０５ａへ吸引するような磁界）を形成することができる。
【００５７】
また、この場合も、図１９に示すように、再付着抑制磁石３４０を、回収室３０５ａの現像ローラ３０２と対向する領域Ｇの現像剤搬送方向下流側の箇所にのみ、再付着抑制磁石３４０を設けてもよい。これにより、コストを抑えて、現像ローラ３０２への付着を抑制することができる。
【００５８】
以上に説明したものは一例であり、本発明は、次の（１）〜（１２）態様毎に特有の効果を奏する。
（１）
複数の磁極を有するマグネットローラ３０２ｄなどの磁界発生手段を内包し、トナーと磁性キャリアとを含む現像剤を表面上に担持して回転し、感光体１などの潜像担持体と対向する現像領域で上記潜像担持体の表面の潜像にトナーを供給して現像する現像ローラ３０２などの現像剤担持体と、上記現像剤担持体に対して対向配置され、上記現像剤担持体の軸線方向に沿って供給室搬送部材３０４などの供給搬送部材で現像剤を搬送しながら上記現像剤担持体に現像剤を供給する供給室３０４ａなどの供給搬送路と、上記現像剤担持体の上記現像領域から上記供給搬送路から現像剤が供給される供給領域までの間の領域に対向配置され、上記現像剤担持体から上記現像領域通過後の現像剤を回収し、現像剤担持体の軸線方向に沿って、上記現像剤担持体から回収された現像剤を回収室搬送部材３０５などの回収搬送部材により搬送する回収室３０５ａなどの回収搬送路と、上記供給搬送路の現像剤搬送方向下流端と、上記回収搬送路の現像剤搬送方向上流端とを連通する落下口などの第１連通部と、上記供給搬送路の現像剤搬送方向上流端と、上記回収搬送路の現像剤搬送方向下流端とを連通する持ち上げ口などの第２連通部とを備え、上記供給搬送路と上記回収搬送路との間で現像剤を循環搬送する現像装置において、上記回収搬送路内の現像剤を、上記回収搬送路内に留まるように磁気吸引して、上記回収搬送路内の現像剤が、現像剤担持体へ再付着するのを抑制する再付着抑制磁石３４０を備えた。
かかる構成を備えることにより、上述したように、回収搬送路に回収された現像済み現像剤が、現像剤担持体に再付着するのを抑制することができ、現像領域にこの再付着した現像済み現像剤が搬送されるのを抑制することができる。その結果、現像画像の濃度ムラを抑制することができる。
【００５９】
（２）
また、上記（１）に記載の態様の現像装置において、再付着抑制磁石を、回収搬送経路の現像剤担持体と対向する箇所と回収搬送部材を挟んで反対側の箇所に設けた。これにより、回収搬送経路から現像剤担持体へ向かって飛翔しようとする現像剤に対して、再付着抑制磁石の磁気吸引力を良好に働かせることができ、現像剤担持体へ再付着するのを抑制することができる。
また、回収搬送経路内の現像剤が、再付着抑制磁石の磁気吸引力により、回収搬送経路の現像剤担持体と対向する箇所と回収搬送部材を挟んで反対側の箇所に集まる。よって、回収搬送内の現像剤担持体側の現像剤の嵩高さを、回収搬送部材を挟んで反対側の箇所よりも低くすることができる。これにより、回収搬送内の現像剤と現像剤担持体との距離を離すことができ、現像剤担持体に回収搬送路内の現像剤が付着するのをより一層抑制することができる。
【００６０】
（３）
また、上記（１）に記載の態様の現像装置において、再付着抑制磁石を、上記回収搬送経路と上記供給搬送経路との間に設けた。
かかる構成としても、回収搬送経路から現像剤担持体へ向かって飛翔しようとする現像剤に対して、再付着抑制磁石の磁気吸引力を働かせることができ、現像剤担持体へ再付着するのを抑制することができる。
また、回収搬送路が、供給搬送路に対して鉛直方向下方にある構成の場合は、再付着抑制磁石の磁気吸引力により、回収搬送路内の現像剤の一部を、回収搬送路の上面に付着させることができる。これにより、回収搬送路の現像剤の嵩高さが減少し、回収搬送路内の現像剤と現像担持体との間の距離を離すことができ、現像剤担持体に回収搬送路内の現像剤が付着するのをより一層抑制することができる。
さらに、現像装置のケーシング内に再付着抑制磁石を設けることができるので、現像装置のコンパクト化を図ることが可能となる。
【００６１】
（４）
また、上記（１）乃至（３）いずれかに記載の態様の現像装置において、上記供給搬送路から上記現像領域のまでの間に上記現像剤担持体表面と所定の隙間を有して対向し、現像剤担持体に担持された現像剤を規制する現像剤規制部材を有し、上記磁界発生手段の上記現像剤規制部材に対向する位置における法線方向磁束密度の上記再付着抑制磁石による変化量を、０．５ｍＴ以下となるように上記再付着抑制磁石を配置した。
かかる構成を備えることで、先の図１５に示すように、現像剤規制部材を通過する現像剤量が、再付着抑制磁石により変動するのを抑制することができ、規定の画像濃度の現像画像を得ることができる。
【００６２】
（５）
また、上記（１）乃至（４）いずれかに記載の態様の現像装置において、上記磁界発生手段は、上記現像領域を通過した現像剤を上記現像剤担持体の表面から離脱させるための磁界を発生させる互いに隣接した同極性である２つの磁極（本実施形態においては、現像剤規制部材対向磁極ＭＰ３、ケーシング対向磁極ＭＰ２）を備えており、上記再付着抑制磁石の上記現像剤回収路に対向させる磁極を、上記再付着抑制磁石の上記回収搬送路に対向させる磁極を、上記現像剤担持体の表面から離脱させるための磁界を発生させる互いに隣接した同極性である２つの磁極と逆極性にした。
かかる構成を備えることにより、上記２つの磁極と、上記再付着抑制磁石との間に反発磁界が形成されるのを抑制することができる。これにより、上記現像剤担持体の表面から離脱させるための磁界により、現像剤担持体表面の現像済み現像剤が、現像剤担持体から剥離して、回収搬送路に回収することができる。
【００６３】
（６）
また、上記（１）乃至（５）いずれかに記載の態様の現像装置において、上記再付着抑制磁石を、上記第２連通部の近傍に設けた。
上記第２連通部の近傍は、回収搬送路内を搬送されてきた現像剤が、第２連通部を通るために滞留する。このため、上記第２連通部の近傍は、現像剤量が多いため、現像剤担持体に向けて飛翔するトナーが、多くなる。また、現像剤嵩高さも高く、現像剤担持体と回収搬送路内の現像剤との距離も近くなり、飛翔したトナーが、現像剤担持体に再付着しやすい。
よって、このように現像剤担持体に現像剤が再付着しやすい、第２連通部近傍に再付着抑制磁石を設けることで、良好に現像剤担持体への現像剤再付着を抑制することができる。
【００６４】
（７）
また、上記（１）乃至（６）いずれかに記載の態様の現像装置において、上記再付着抑制磁石として、永久磁石を用いた。
かかる構成を備えることで、再付着抑制磁石として、電磁石を用いた場合に比べて、構造を簡素化することができ、装置を安価にすることができる。
【００６５】
（８）
また、上記（１）乃至（７）いずれかに記載の態様の現像装置において、上記磁界発生手段は、上記現像領域と対向する箇所に配置される主磁極を有しており、上記再付着抑制磁石の磁束密度を、上記主磁極の磁束密度以下にした。
かかる構成を備えることで、磁界発生手段の現像剤規制部材との対向領域における磁束密度の影響を抑えることができ、現像領域へ搬送される現像量が増加するのを抑制することができ、現像画像の濃度が、規定よりも濃くなるのを抑制することができる。
【００６６】
（９）
また、潜像担持体の表面に形成された潜像を現像装置により現像剤を用いて現像することで得られるトナー像を、最終的に記録材上へ転写させることにより、記録材上に画像を形成する画像形成装置に対して着脱自在に構成され、少なくとも潜像担持体及び現像装置を一体的に支持したプロセスカートリッジにおいて、上記現像装置として、上記（１）乃至（８）いずれかに記載の態様の現像装置を用いた。
かかる構成を備えることで、濃度ムラのない良好な画像を得ることができるプロセスカートリッジを提供することができる。
【００６７】
（１０）
また、少なくとも潜像担持体と、上記潜像担持体表面を帯電させる帯電装置２などの帯電手段と、上記潜像担持体上に静電潜像を形成する露光装置１６などの潜像形成手段と、上記静電潜像を現像する現像装置とを有する画像形成装置において、上記現像装置として、上記（１）乃至（８）いずれかに記載の態様の現像装置を用いた。
かかる構成を備えることで、濃度ムラのない良好な画像を得ることができる。
【００６８】
（１１）
また、上記（１０）に記載の態様の画像形成装置において、潜像担持体及び現像装置を一体的に支持し、装置に対して着脱自在に構成されたプロセスカートリッジを備えた。
かかる構成を備えることにより、潜像担持体及び現像装置を容易に交換することができる。
【００６９】
（１２）
また、上記（１０）または（１１）に記載の態様の画像形成装置において、上記現像装置または上記プロセスカートリッジを複数備えた。
かかる構成を備えることで、濃度ムラのないカラー画像を得ることができる。
【符号の説明】
【００７０】
１：感光体
２：帯電装置
３：現像装置
１６：露光装置
３０１：ケーシング
３０２：現像ローラ
３０２ｃ：現像スリーブ
３０２ｄ：マグネットローラ
３０３：現像剤規制部材
３０４：供給室搬送部材
３０４ａ：供給室
３０５：回収室搬送部材
３０５ａ：回収室
３０６：仕切部材
３０７：持ち上げ口
３０９：トナー補給口
３２０：現像剤
３４０：再付着抑制磁石
ＭＰ１：主磁極
ＭＰ２：ケーシング対向磁極
ＭＰ３：現像剤規制部材対向磁極
ＭＰ３ 現像剤規制部材対向磁極
α：現像領域
【先行技術文献】
【特許文献】
【００７１】
【特許文献１】特開２００３−２６３０１２号公報
【図１】
0005858329.tif 000002
【図２】
0005858329.tif 000003
【図３】
0005858329.tif 000004
【図４】
0005858329.tif 000005
【図５】
0005858329.tif 000006
【図６】
0005858329.tif 000007
【図７】
0005858329.tif 000008
【図８】
0005858329.tif 000009
【図９】
0005858329.tif 000010
【図１０】
0005858329.tif 000011
【図１１】
0005858329.tif 000012
【図１２】
0005858329.tif 000013
【図１３】
0005858329.tif 000014
【図１４】
0005858329.tif 000015
【図１５】
0005858329.tif 000016
【図１６】
0005858329.tif 000017
【図１７】
0005858329.tif 000018
【図１８】
0005858329.tif 000019
【図１９】
0005858329.tif 000020
【図２０】
0005858329.tif 000021